(57)【要約】【課題】携帯端末と比較して大きな画面上でレビュー対象を参照することができ、レビュー対象の参照とレビュー内容の記入を同時に実施することができ、かつ、煩雑な画像処理が必要とされないレビューシステムを提供すること。【解決手段】レビューシステムは、携帯端末１０ａと、その表示画面よりも広く、表面にレビュー内容が書き込めるように処理された表示装置２０ａとを備える。携帯端末１０ａは、表示装置２０ａへレビュー対象を送信する。表示装置２０ａは、レビュー対象を受信して表示する。表示装置２０ａは、表示消去信号を受信した場合にはレビュー対象の表示を消去する。携帯端末１０ａは、表示装置２０ａの表面に書き込まれたレビュー内容を撮像して記録する。【選択図】図１
2009064253.tif 000002
【特許請求の範囲】
【請求項１】
携帯端末と表示装置とを備えたレビューシステムであって、
前記表示装置が、前記携帯端末の表示画面よりも広く、表面にレビュー内容が書き込めるように処理された表示画面を備え、レビュー対象を受信して表示するとともに表示消去信号を受信した場合には表示を前記レビュー対象の表示を消去するように構成され、
前記携帯端末が、前記レビュー内容を撮像する撮像部と、撮像された前記レビュー内容及び前記レビュー対象を記録する記憶装置と、前記記憶装置に記録されたレビュー対象を前記表示装置へ送信するように構成された出力部とを備えたことを特徴とするレビューシステム。
【請求項２】
前記携帯端末における出力部が、前記表示装置を識別する識別子を送信するように構成され、
前記表示装置が、前記識別子を受信して前記レビュー対象とともに表示し、前記表示消去信号を入力した場合には前記識別子のみを表示するように構成されたことを特徴とする、請求項１に記載のレビューシステム。
【請求項３】
前記携帯端末における出力部が、前記表示消去信号を送信するように構成されたことを特徴とする、請求項１又は２に記載のレビューシステム。
【請求項４】
複数の表示装置を備えたことを特徴とする、請求項１から３までのいずれか一に記載のレビューシステム。
【請求項５】
携帯端末と前記携帯端末の表示画面よりも広く、表面にレビュー内容が書き込めるように処理された１又は２以上の表示装置とを備えたレビューシステムにおけるレビュー処理方法であって、
前記携帯端末が、前記表示装置のそれぞれへレビュー対象を送信する工程と、
前記表示装置が、それぞれ前記レビュー対象を受信して表示する工程と、
前記表示装置が、それぞれ表示消去信号を受信した場合には前記レビュー対象の表示を消去する工程と、
前記携帯端末が、前記表示装置のそれぞれの表面に書き込まれたレビュー内容を撮像して記録する工程と、を含むことを特徴とするレビュー処理方法。
【請求項６】
前記送信工程において、前記携帯端末が前記表示装置を識別する識別子を送信し、
前記表示工程において、前記表示装置がそれぞれ前記識別子を受信して前記レビュー対象とともに表示し、
前記消去工程において、前記表示装置がそれぞれ表示消去信号を受信した場合には前記識別子のみを表示することを特徴とする、請求項５に記載のレビュー処理方法。
【請求項７】
携帯端末と前記携帯端末の表示画面よりも広く、表面にレビュー内容が書き込めるように処理された１又は２以上の表示装置とを備えたレビューシステムにおけるレビュー処理をコンピュータに実行させるプログラムであって、
前記携帯端末が、前記表示装置のそれぞれへレビュー対象を送信する処理と、
前記表示装置が、それぞれ前記レビュー対象を受信して表示する処理と、
前記表示装置が、それぞれ表示消去信号を受信した場合には前記レビュー対象の表示を消去する処理と、
前記携帯端末が、前記表示装置のそれぞれの表面に書き込まれたレビュー内容を撮像して記録する処理と、をコンピュータに実行させることを特徴とするレビュー処理プログラム。
【請求項８】
前記送信処理において、前記携帯端末が前記表示装置を識別する識別子を送信し、
前記表示処理において、前記表示装置がそれぞれ前記識別子を受信して前記レビュー対象とともに表示し、
前記消去処理において、前記表示装置がそれぞれ表示消去信号を受信した場合には前記識別子のみを表示する処理をコンピュータに実行させることを特徴とする、請求項７に記載のレビュー処理プログラム。
【発明の詳細な説明】
【技術分野】
【０００１】
本発明はレビューシステム並びにレビュー処理方法及びプログラムに関する。
【背景技術】
【０００２】
携帯電話、ＰＤＡその他の携帯端末によってレビューを実施する場合、従来、レビューの実施者は携帯端末のディスプレイ上に表示されたレビュー対象を参照しつつレビュー内容を検討した後、検討したレビュー内容を携帯端末へ文章として入力する必要があった。
【０００３】
特許文献１において、撮影した画像を表示し、入力を受け付けるタブレットディスプレイと、タブレットディスプレイに表示された撮影画像に対して編集情報を入力するタッチペンと、を備えた装置が開示されている。
【０００４】
また、特許文献２において、複数のレビュー者にレビュー依頼してレビューを可能にするレビュー装置が開示されている。
【０００５】
【特許文献１】特開２００７−０７４０６１号公報
【特許文献２】特開平０７−１４６８６０号公報
【発明の開示】
【発明が解決しようとする課題】
【０００６】
以下の分析は、本発明者によってなされたものである。
【０００７】
携帯電話等の携帯端末におけるディスプレイは画面の面積が狭いため、レビュー対象の一部を拡大表示する必要があり、全体を一望することができないという問題がある。
【０００８】
また、従来の携帯端末においてレビューを行う場合、レビュー対象を参照してレビュー内容を検討する作業とレビュー内容を携帯端末へ入力する作業を並行することができないため、レビューの作業が困難となる。
【０００９】
さらに、特許文献１に開示された装置は、タブレットディスプレイに表示された画像と、タッチペンで入力された内容とを同時に表示することができる。しかし、これらを同時に表示するために画像処理を必要とし、処理が煩雑となる。特許文献２に開示された装置も、元の文書と編集後の文書とを比較してレビュー情報を取得する処理を電子的に行っており、煩雑な画像処理を行う必要がある。
【００１０】
そこで、携帯端末と比較して大きな画面上でレビュー対象を参照することができ、レビュー対象の参照とレビュー内容の記入を同時に実施することができ、かつ、煩雑な画像処理が必要とされないレビューシステムを提供することが課題となる。
【課題を解決するための手段】
【００１１】
本発明の第１の視点に係るレビューシステムは、携帯端末と表示装置とを備えたレビューシステムであって、前記表示装置が、前記携帯端末の表示画面よりも広く、表面にレビュー内容が書き込めるように処理された表示画面を備え、レビュー対象を受信して表示するとともに表示消去信号を受信した場合には表示を前記レビュー対象の表示を消去するように構成され、前記携帯端末が、前記レビュー内容を撮像する撮像部と、撮像された前記レビュー内容及び前記レビュー対象を記録する記憶装置と、前記記憶装置に記録されたレビュー対象を前記表示装置へ送信するように構成された出力部とを備えたことを特徴とする。
【００１２】
本発明の第２の視点に係るレビュー処理方法は、携帯端末と前記携帯端末の表示画面よりも広く、表面にレビュー内容が書き込めるように処理された１又は２以上の表示装置とを備えたレビューシステムにおけるレビュー処理方法であって、前記携帯端末が、前記表示装置のそれぞれへレビュー対象を送信する工程と、前記表示装置が、それぞれ前記レビュー対象を受信して表示する工程と、前記表示装置が、それぞれ表示消去信号を受信した場合には前記レビュー対象の表示を消去する工程と、前記携帯端末が、前記表示装置のそれぞれの表面に書き込まれたレビュー内容を撮像して記録する工程と、を含むことを特徴とする。
【００１３】
本発明の第３の視点に係るレビュー処理プログラムは、携帯端末と前記携帯端末の表示画面よりも広く、表面にレビュー内容が書き込めるように処理された１又は２以上の表示装置とを備えたレビューシステムにおけるレビュー処理をコンピュータに実行させるプログラムであって、前記携帯端末が、前記表示装置のそれぞれへレビュー対象を送信する処理と、前記表示装置が、それぞれ前記レビュー対象を受信して表示する処理と、前記表示装置が、それぞれ表示消去信号を受信した場合には前記レビュー対象の表示を消去する処理と、前記携帯端末が、前記表示装置のそれぞれの表面に書き込まれたレビュー内容を撮像して記録する処理と、をコンピュータに実行させることを特徴とする。
【００１４】
第１の展開形態のレビューシステムは、前記携帯端末における出力部が、前記表示装置を識別する識別子を送信するように構成され、前記表示装置が、前記識別子を受信して前記レビュー対象とともに表示し、前記表示消去信号を入力した場合には前記識別子のみを表示するように構成されたものであってもよい。
【００１５】
第２の展開形態のレビューシステムは、前記携帯端末における出力部が、前記表示消去信号を送信するように構成されることが好ましい。
【００１６】
第３の展開形態のレビューシステムは、複数の表示装置を備えたものであってもよい。
【００１７】
第４の展開形態に係るレビュー処理方法は、前記送信工程において、前記携帯端末が前記表示装置を識別する識別子を送信し、前記表示工程において、前記表示装置がそれぞれ前記識別子を受信して前記レビュー対象とともに表示し、前記消去工程において、前記表示装置がそれぞれ表示消去信号を受信した場合には前記識別子のみを表示してもよい。
【００１８】
第５の展開形態のレビュー処理プログラムは、前記送信処理において、前記携帯端末が前記表示装置を識別する識別子を送信し、前記表示処理において、前記表示装置がそれぞれ前記識別子を受信して前記レビュー対象とともに表示し、前記消去処理において、前記表示装置がそれぞれ表示消去信号を受信した場合には前記識別子のみを表示する処理をコンピュータに実行させてもよい。
【発明の効果】
【００１９】
本発明に係るレビューシステムによって、携帯端末と比較して大きな画面上でレビュー対象を参照することができ、レビュー対象の参照とレビュー内容の記入を同時に実施することができ、かつ、煩雑な画像処理は必要とされない。
【発明を実施するための最良の形態】
【００２０】
本発明の実施形態に係るレビューシステムについて、図面を参照して説明する。
【００２１】
図１は、レビューシステムの構成図である。
【００２２】
レビューシステムは、図１を参照すると、携帯端末１０ａと１又は２以上の表示装置２０ａとを備える。
【００２３】
携帯端末１０ａは、レビュー対象を記憶するように構成された記憶装置１１ａと、レビュー対象を出力するように構成された出力部１２ａと、レビュー内容を撮影してデジタルデータとして記憶装置１１ａへ記録するように構成された撮像部１３ａとを備える。
【００２４】
表示装置２０ａは、レビュー対象を入力して表示するとともに、表示消去信号を入力した場合にはレビュー対象の表示を消去する。
【００２５】
レビュー実施者は、表示装置２０ａに表示されたレビュー対象を参照しつつ、表示装置２０ａ上にペンでレビュー内容を記入し、携帯端末１０ａの撮像部１３ａを利用して記入内容を撮影する。レビュー内容を撮影する前に、表示装置２０ａ上のレビュー対象を消去することにより、レビュー内容をレビュー対象と分離して撮影することができ、レビュー内容のみをデジタルデータとして、携帯端末１０ａの記憶装置１１ａへ格納することができる。
【００２６】
さらに、レビュー実施者が表示装置２０ａへ記入したレビュー内容は拭き取ることができ、表示装置２０ａへ再度レビューの書き込みができることが好ましい。したがって、表示装置２０ａの表面は、インクの拭き取りが可能であるように加工されたものであることが好ましい。
【００２７】
本実施形態に係るレビューシステムによって、レビュー実施者は携帯端末１０ａと比較して大きな表示装置２０ａの画面上でレビュー対象を参照することができる。また、レビュー実施者は、レビュー対象の参照とレビュー内容の表示装置２０ａへの記入を同時に実施することができ、携帯端末１０ａにおいて煩雑な画像処理も必要とされない。
【実施例１】
【００２８】
本発明の第１の実施例について、図面を参照して詳細に説明する。
【００２９】
図１は、本発明の第１の実施例に係るレビューシステムの構成図である。
【００３０】
レビューシステムは携帯端末１０ａと表示装置２０ａとを備える。
【００３１】
携帯端末１０ａは、記憶装置１１ａ、出力部１２ａ及び撮像部１３ａを備える。記憶装置１１ａは、レビュー対象を記憶し、出力部１２ａは、レビュー対象を出力する。撮像部１３ａは、レビュー内容を撮影してデジタルデータとして記憶装置１１ａへ記録する。
【００３２】
表示装置２０ａは、入力部２１ａ及び表示部２２ａを備える。入力部２１ａはレビュー対象を入力し、表示部２２ａはレビュー対象を表示する。入力部２１ａにおいて、表示消去信号を入力した場合には、表示部２２ａにおけるレビュー対象の表示を消去する。
【００３３】
次に、本実施例に係るレビューシステムの動作について図面を参照して説明する。
【００３４】
図２は、本発明の第１の実施例に係るレビューシステムの動作のフローチャートである。
【００３５】
図１及び図２を参照すると、携帯端末１０ａは表示装置２０ａへレビュー対象を送信する（ステップＳ１１）。
【００３６】
表示装置２０ａはレビュー対象を受信して表示する（ステップＳ１２）。表示装置２０ａは表示消去信号を受信した場合（ステップＳ１３のＹｅｓ）にはレビュー対象の表示を消去する（ステップＳ１４）。
【００３７】
携帯端末１０ａは表示装置２０ａ上に記載されたレビュー内容を撮像したものをデジタルデータとして記憶する(ステップＳ１５)。
【００３８】
レビュー実施者の立場から、本実施例に係るレビューシステムの使用方法について説明すると以下の通りである。
【００３９】
図３は、本発明の第１の実施例に係るレビューシステムにおける表示装置２０ａの表示内容を説明するための図である。
【００４０】
図１において、携帯端末１０ａは表示装置２０ａへレビュー対象を表示する（図３（Ａ））。レビュー実施者は、ペンを使ってレビュー内容の図形や文字をレビュー内容として、表示装置２０ａの表面へ書き込む（図３（Ｂ））。レビュー実施者は、表示装置２０ａへ表示消去信号を送信し、表示部２２ａにおけるレビュー対象文書を消去してレビュー内容だけが残るようにする（図３（Ｃ））。レビュー実施者は、書き込まれたレビュー内容を携帯端末１０ａの撮像部１３ａによって撮影する。レビュー実施者は、レビュー内容を撮影した後、表示装置２０ａ上にペンで書き込まれたレビュー内容を拭き取って、表示装置２０ａを再利用可能とする。表示装置２０ａの表面はインクを拭き取ることができるように加工されたものであることが好ましい。
【００４１】
なお、表示装置２０ａの一態様として、いわゆる「電子ペーパ」を用いることが考えられる。電子ペーパを用いた場合、その表示内容を携帯端末１０ａからの信号に基づいて電気的に書き換えることができ、多少の折り曲げにも耐え得る。また、バックライトを用いないため、液晶パネル又はＣＲＴその他のディスプレイと比較して、消費電力が少ないという利点もある。
【００４２】
本実施例に係るレビューシステムは、レビュー対象文書を表示装置２０ａへ表示しているため、レビュー実施者は、レビュー対象文書へレビュー内容を直接書き込むことができる。
【００４３】
表示装置２０ａにおいてレビュー対象文書を消去した後、携帯端末１０ａで撮影することにより、レビュー内容とレビュー対象を分離することができる。したがって、複数の人数によるレビュー内容を集約するなど、レビュー内容の再利用を円滑に行うことができる。
【００４４】
また、レビュー内容とレビュー対象文書とを分離することによって、レビュー内容を縮小若しくは拡大し又はＯＣＲ処理をすることが容易となる。
【００４５】
さらに、レビュー内容のみを携帯端末１０ａに取り込むことによって、レビュー内容の格納時の記憶容量を削減することもできる。
【００４６】
レビュー対象を、例えば電子ペーパ等の表示装置２０ａへ表示することによって、レビュー中の消費電力を削減することもできる。
【実施例２】
【００４７】
本発明の第２の実施例について、図面を参照して説明する。
【００４８】
図４は、本発明の第２の実施例に係るレビューシステムの構成図である。
【００４９】
本実施例は、複数台の表示装置がある場合について、上記の実施例に係るレビューシステムを改良したものである。
【００５０】
図４を参照すると、レビューシステムは、携帯端末１０ｂと１又は２以上の表示装置２０ｂとを備える。
【００５１】
携帯端末１０ｂに備えた出力部１２ｂは、レビュー対象を出力するとともに、表示装置２０ｂを識別する識別子を出力する。
【００５２】
また、表示装置２０ｂは、識別子を入力してレビュー対象とともに表示し、表示消去信号を入力した場合にはレビュー対象の表示を消去して識別子のみを表示する。
【００５３】
次に、本実施例に係るレビューシステムの動作について図面を参照して説明する。
【００５４】
図５は、本発明の第２の実施例に係るレビューシステムの動作のフローチャートである。
【００５５】
図４及び図５を参照すると、携帯端末１０ｂは表示装置２０ｂへレビュー対象及び識別子を送信する（ステップＳ２１）。
【００５６】
表示装置２０ｂはレビュー対象及び識別子を受信して表示する（ステップＳ２２）。表示装置２０ｂは表示消去信号を受信した場合（ステップＳ２３のＹｅｓ）にはレビュー対象の表示を消去し（ステップＳ２４）、識別子のみを表示する。
【００５７】
携帯端末１０ｂは表示装置２０ｂ上に記載されたレビュー内容及び表示された識別子を撮像し、デジタルデータとして記憶する(ステップＳ２５)。
【００５８】
レビュー実施者の立場から、本実施例に係るレビューシステムの使用方法について説明すると以下の通りである。
【００５９】
図６は、本発明の第２の実施例に係るレビューシステムにおける表示装置２０ｂの表示内容を説明するための図である。
【００６０】
携帯端末１０ｂは複数の表示装置２０ｂへレビュー対象及び各表示装置２０ｂを識別する識別子を送信する。表示装置２０ｂは、レビュー対象及び識別子を表示する（図６（Ａ））。識別子は、一例として、ＯＣＲ用文字列又はＱＲコードなどのバーコードでもよく、レビュー対象を特定するとともに、表示装置２０ｂ毎に異なる内容とする。
【００６１】
レビュー実施者は、それぞれ、表示装置２０ｂ上にペン等の筆記ないしマーク手段（以下「ペン」で代表する。）でレビュー内容を記入する（図６（Ｂ））。
【００６２】
携帯端末１０ｂによってレビュー内容を撮影する前に、表示装置２０ｂにおいて、レビュー対象を消去し、識別子のみを表示させる（図６（Ｃ））。携帯端末１０ｂによって、レビュー内容と識別子を撮影する。このとき、複数のレビュー内容を識別しつつ、レビュー対象と分離して撮影することができる。
【００６３】
撮影した後、ペンで書き込まれたレビュー内容を拭き取って、表示装置２０ｂを再利用可能とする。
【００６４】
表示装置２０ｂの表面はインクを拭き取ることができるように、あらかじめ加工しておく。
【００６５】
複数のレビュー対象を複数の表示装置２０ｂへ表示することが可能であるため、同時に複数枚のレビュー対象のレビューを実施することができる。また、同一のレビュー対象を複数の表示装置２０ｂへ表示し、複数人によるレビューの用に供することもできる。
【実施例３】
【００６６】
本発明の第３の実施例について、図面を参照して説明する。
【００６７】
図７は本発明の第３の実施例に係るレビューシステムの構成図である。
【００６８】
本実施例は、上記の第１の実施例に係るレビューシステムにおける表示消去信号を、携帯端末１０ｃによって出力することができるようにしたものである。
【００６９】
本実施例に係るレビューシステムの動作は、上記実施例１に係るレビューシステムと同様であるため、説明を省略する。
【００７０】
以上の記載は実施例に基づいて行ったが、本発明は、上記実施例に限定されるものではない。
【図面の簡単な説明】
【００７１】
【図１】本発明の第１の実施例に係るレビューシステムの構成図である。
【図２】本発明の第１の実施例に係るレビューシステムの動作のフローチャートである。
【図３】本発明の第１の実施例に係るレビューシステムにおける表示装置の表示内容を説明するための図である。
【図４】本発明の第２の実施例に係るレビューシステムの構成図である。
【図５】本発明の第２の実施例に係るレビューシステムの動作のフローチャートである。
【図６】本発明の第２の実施例に係るレビューシステムにおける表示装置の表示内容を説明するための図である。
【図７】本発明の第３の実施例に係るレビューシステムの構成図である。
【符号の説明】
【００７２】
１０ａ、１０ｂ、１０ｃ  携帯端末
１１ａ、１１ｂ、１１ｃ  記憶装置
１２ａ、１２ｂ、１２ｃ  出力部
１３ａ、１３ｂ、１３ｃ  撮像部
２０ａ、２０ｂ、２０ｃ  表示装置
２１ａ、２１ｂ、２１ｃ  入力部
２２ａ、２２ｂ、２２ｃ  表示部
【図１】
2009064253.tif 000003
【図２】
2009064253.tif 000004
【図３】
2009064253.tif 000005
【図４】
2009064253.tif 000006
【図５】
2009064253.tif 000007
【図６】
2009064253.tif 000008
【図７】
2009064253.tif 000009